【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
クライアント端末またはアダプタ装置によって電子的に結合されたマイクロホンに対し、非聴覚（nonaural）ノイズ信号を記録するよう命令する工程；
該クライアント端末または該アダプタ装置の回路に対し、少なくとも一つのイヤホンの少なくとも一つの電気音響変換器を使用して聴覚（aural）ノイズ信号を記録するよう命令する工程；
該非聴覚ノイズ信号と該聴覚ノイズ信号とを組み合わせる関数に基づいてノイズ低減信号を計算する工程；
該少なくとも一つの電気音響変換器によって再生されるように準備されたコンテンツ信号と該ノイズ低減信号との組み合わせに基づいてノイズ低減された信号を計算する工程；および
該回路に対し、該ノイズ低減された信号を該少なくとも一つの電気音響変換器を介して再生するよう命令する工程
を含み、
該非聴覚ノイズ信号と該聴覚ノイズ信号とが少なくとも部分的に同時に記録される、
アクティブノイズ低減方法。
【請求項２】
少なくとも一つの電気音響変換器が、少なくとも一つのイヤホンの、オーディオ信号を再生するために使用される少なくとも一つのラウドスピーカである、請求項1記載の方法。
【請求項３】
マイクロホンが、クライアント端末によって電子的に結合されており、
回路が該クライアント端末の回路であり、かつ
マイクロホンが、クライアント端末のハウジング中に位置する内蔵マイクロホンである、請求項1記載の方法。
【請求項４】
聴覚ノイズ信号が、断続的に記録された複数のフラグメントを含む、請求項1記載の方法。
【請求項５】
回路に対して命令する工程が、複数の再生反復が複数の記録反復と時間的に撚り合わされるように、該回路に対し、複数の記録反復中に少なくとも一つの電気音響変換器を介して聴覚ノイズ信号を記録し、複数の再生反復中に該少なくとも一つの電気音響変換器を介してノイズ低減された信号を断続的に再生するよう命令する工程を含む、請求項4記載の方法。
【請求項６】
複数のフラグメントの各フラグメントが3ミリ秒未満継続する、請求項4記載の方法。
【請求項７】
回路が、少なくとも一つの電気音響変換器に対し、複数のフラグメントの二つの連続フラグメントのそれぞれの間で、ノイズ低減された信号を断続的に再生するよう命令する、請求項6記載の方法。
【請求項８】
ノイズ低減された信号が少なくとも毎秒5回の反復で再生される、請求項6記載の方法。
【請求項９】
ノイズ低減信号を計算する工程が、聴覚ノイズ信号のフラグメントと非聴覚ノイズ信号のそれぞれのフラグメントとの間の位相差にしたがって耳内空間における現在のノイズを推定する工程を含む、請求項1記載の方法。
【請求項１０】
ノイズ低減信号を計算する工程が、現在のノイズに基づいてノイズ予測信号を計算し、該ノイズ予測信号と同じ振幅を有し、かつ反転した位相を有する音波を計算する工程を含む、請求項9記載の方法。
【請求項１１】
ノイズ低減された信号が、同時に再生されるように設定されている異なるチャネルとしてノイズ低減信号およびコンテンツ信号を含む、請求項1記載の方法。
【請求項１２】
ノイズ低減された信号がノイズ低減信号とコンテンツ信号とのミックスである、請求項1記載の方法。
【請求項１３】
請求項1記載の方法を実行するように適合されたコンピュータ実行可能な命令を含む、コンピュータ読み取り可能な媒体。
【請求項１４】
ハウジングと；
少なくとも一つの電気音響変換器を有する少なくとも一つのイヤホンに接続するイヤホンインタフェースと；
コンピュータ化プロセッサと；
非聴覚ノイズ信号を記録するマイクロホンと；
イヤホンジャックに電子的に接続された回路に対し、該少なくとも一つの電気音響変換器を使用して聴覚ノイズ信号を記録するよう命令する記録モジュールと
を含み、
該コンピュータ化プロセッサが、(i)該聴覚ノイズ信号と該非聴覚ノイズ信号とを組み合わせる関数に基づいてノイズ低減信号を計算し、(ii)該少なくとも一つの電気音響変換器によって再生されるように準備されたコンテンツ信号と該ノイズ低減信号との組み合わせに基づいてノイズ低減された信号を計算し、(iii)該回路に対し、該ノイズ低減された信号を該少なくとも一つの電気音響変換器を介して再生するよう命令する、
ノイズ低減機能を有するクライアント端末。
【請求項１５】
マイクロホンがハウジング中に位置する、請求項14記載のクライアント端末。
【請求項１６】
マイクロホンがイヤホンインタフェースを介して記録モジュールに電子的に接続されている、請求項14記載のクライアント端末。
【請求項１７】
マイクロホンが、少なくとも一つのイヤホンを含むヘッドホンの一部である、請求項16記載のクライアント端末。
【請求項１８】
イヤホンインタフェースがイヤホンジャックである、請求項14記載のクライアント端末。
【請求項１９】
少なくとも一つの電気音響変換器がヘッドホンの少なくとも一つのイヤホン中に配設されている、請求項14記載のクライアント端末。
【請求項２０】
非聴覚ノイズ信号と聴覚ノイズ信号とが少なくとも部分的に同時に記録される、請求項14記載のクライアント端末。
【請求項２１】
コンピュータ読み取り可能な記憶媒体；
クライアント端末またはアダプタ装置によって電子的に結合されたマイクロホンに対し、非聴覚ノイズ信号を記録するよう命令するための第一のプログラム命令；
該クライアント端末または該アダプタ装置の回路に対し、イヤホンの少なくとも一つの電気音響変換器を使用して聴覚ノイズ信号を記録するよう命令するための第二のプログラム命令；
該非聴覚ノイズ信号と該聴覚ノイズ信号とを組み合わせる関数に基づいてノイズ低減信号を計算するための第三のプログラム命令；
該少なくとも一つの電気音響変換器によって再生されるように準備されたコンテンツ信号と該ノイズ低減信号との組み合わせに基づいてノイズ低減された信号を計算するための第四のプログラム命令；および
該回路に対し、該ノイズ低減された信号を該少なくとも一つの電気音響変換器を介して再生するよう命令するための第五のプログラム命令
を含み、
該非聴覚ノイズ信号と該聴覚ノイズ信号とが少なくとも部分的に同時に記録され；
該第一、第二、第三、第四および第五のプログラム命令が該コンピュータ読み取り可能な記憶媒体上に記憶されている、
アクティブノイズ低減方法のためのコンピュータプログラム製品。
【請求項２２】
ハウジングと；
少なくとも一つの電気音響変換器を有する少なくとも一つのイヤホンに接続するイヤホンインタフェースと；
コンピュータ化プロセッサと；
該イヤホンインタフェースに電子的に接続された回路に対し、該少なくとも一つの電気音響変換器を使用して聴覚ノイズ信号を記録するよう命令する記録モジュールと；
再生装置インタフェースと
を含む、ノイズ低減機能を有するアダプタ装置であって、
該アダプタ装置が、該少なくとも一つのイヤホンの該少なくとも一つの電気音響変換器と再生装置との間に配置され、
該コンピュータ化プロセッサが、(i)該聴覚ノイズ信号とマイクロホンによって記録された非聴覚ノイズ信号とを組み合わせる関数に基づいてノイズ低減信号を計算し、(ii)該少なくとも一つの電気音響変換器によって再生されるように準備されたコンテンツ信号と該ノイズ低減信号との組み合わせに基づいてノイズ低減された信号を計算し、(iii)該回路に対し、該ノイズ低減された信号を該少なくとも一つの電気音響変換器を介して再生するよう命令する、
アダプタ装置。
【請求項２３】
前記非聴覚ノイズ信号を記録するマイクロホンをさらに含む、請求項22記載のアダプタ装置。
【請求項２４】
少なくとも一つの電気音響変換器を介して再生するためのノイズ低減された信号を提供する、請求項22記載のアダプタ装置。
【請求項２５】
イヤホン中に内蔵されてノイズ低減型イヤホンを生じる、請求項22記載のアダプタ装置。
【請求項２６】
前記マイクロホンが前記クライアント端末によって電子的に結合されており、かつ
前記回路が該クライアント端末の回路である、
請求項1記載の方法。
【請求項２７】
前記マイクロホンが前記アダプタ装置によって電子的に結合されており、かつ
前記回路が該アダプタ装置の回路である、
請求項1記載の方法。